(57)【要約】      （修正有）【課題】デジタルカメラにおいて記録容量が少なくなった場合に、簡単な操作で撮影可能枚数を増やす。【解決手段】記録されている画像に対し、トリミング設定がされているか調べ、その後、トリミング設定されていれば、そのトリミング情報を取得し、処理対象画像を記録媒体からデジタルカメラ内のメモリに読み込む。その後、トリミングされている枠情報からトリミング枠内の画像をひとつの画像として再構成し、記録媒体に収められている処理対象画像を削除する。再構成した画像データを記録媒体に記憶した後、全ての画像に対して上記処理が行われたかどうかチェックし、全画像に対して処理が終っていなければ処理を続行し，終っていれば処理を終了する。【選択図】        図１
2004336325.tif 000002
【特許請求の範囲】
【請求項１】
撮像した静止画像及び或いは動画像を記録媒体に記録及び再生表示する画像処理装置であって、
撮像手段と、記録手段と、制御手段と、表示手段とを有し、
前記制御手段は、
記録された静止画像の印刷設定を行う印刷設定手段と、
印刷設定手段において指定された印刷領域情報を用いて印刷領域指定された領域を切り出して画像を再構築する手段と、
切り出された元画像を削除する手段と、を有することを特徴とする画像処理装置。
【請求項２】
前記画像の再構築および元画像の削除を一括して行う手段を有することを特徴とする請求項１に記載の画像処理装置。
【請求項３】
前記画像の再構築および元画像の削除を一画像ずつ確認しながら行う手段を有することを特徴とする請求項１に記載の画像処理装置。
【請求項４】
前記画像の再構築および元画像の削除を画像記憶媒体の容量が無くなった際に自動で確認画面を表示し、確認の結果画像の再構築と元画像の削除を行うことが決定された場合には、前記画像の再構築および元画像の削除を行う手段を有することを特徴とする請求項１に記載の画像処理装置。
【請求項５】
前記画像の再構築および元画像の削除を画像記憶媒体の容量に関わらず任意のタイミングで画像の再構築および元画像の削除を行う手段を有することを特徴とする請求項１に記載の画像処理装置。
【請求項６】
前記画像の再構築および元画像の削除において、再構築と削除を行うことによって撮影可能となる枚数を表示する手段を有することを特徴とする請求項１に記載の画像処理装置。
【請求項７】
前記画像の再構築において、再構築した画像のファイル名を元画像と同じファイル名にして記憶媒体に記憶する手段を有することを特徴とする請求項１に記載の画像処理装置。
【請求項８】
前記画像の再構築において、再構築した画像のファイル名を元画像と違うファイル名にして記憶媒体に記憶する手段を有することを特徴とする請求項１に記載の画像処理装置。
【請求項９】
前記画像の再構築において、画像処理装置に内臓された画像表示装置または外部出力を利用した画像表示装置上に、元画像と共に印刷設定された領域を確認できる手段を有することを特徴とする請求項１に記載の画像処理装置。
【請求項１０】
撮像した静止画像及び或いは動画像を記録媒体に記録及び再生表示する画像処理方法であって、
撮像工程と、記録工程と、制御工程と、表示工程とを有し、
前記制御工程は、
記録された静止画像の印刷設定を行う印刷設定工程と、
印刷設定工程において指定された印刷領域情報を用いて印刷領域指定された領域を切り出して画像を再構築する工程と、
切り出された元画像を削除する工程と、を有することを特徴とする画像処理方法。
【請求項１１】
前記画像の再構築および元画像の削除を一括して行う工程を有することを特徴とする請求項１０に記載の画像処理方法。
【請求項１２】
前記画像の再構築および元画像の削除を一画像ずつ確認しながら行う手段を有することを特徴とする請求項１０に記載の画像処理方法。
【請求項１３】
前記画像の再構築および元画像の削除を画像記憶媒体の容量が無くなった際に自動で確認画面を表示し、確認の結果画像の再構築と元画像の削除を行うことが決定された場合には、前記画像の再構築および元画像の削除を行う手段を有することを特徴とする請求項１０に記載の画像処理方法。
【請求項１４】
前記画像の再構築および元画像の削除を画像記憶媒体の容量に関わらず任意のタイミングで画像の再構築および元画像の削除を行う手段を有することを特徴とする請求項１０に記載の画像処理方法。
【請求項１５】
前記画像の再構築および元画像の削除において、再構築と削除を行うことによって撮影可能となる枚数を表示する手段を有することを特徴とする請求項１０に記載の画像処理方法。
【請求項１６】
前記画像の再構築において、再構築した画像のファイル名を元画像と同じファイル名にして記憶媒体に記憶する手段を有することを特徴とする請求項１０に記載の画像処理方法。
【請求項１７】
前記画像の再構築において、再構築した画像のファイル名を元画像と違うファイル名にして記憶媒体に記憶する手段を有することを特徴とする請求項１０に記載の画像処理方法。
【請求項１８】
前記画像の再構築において、画像表示装置に、元画像と共に印刷設定された領域を確認できる手段を有することを特徴とする請求項１０に記載の画像処理方法。
【請求項１９】
請求項１０乃至１８のいずれかに記載の画像処理方法をコンピュータによって実行させるための制御プログラムを格納することを特徴とする記憶媒体。
【発明の詳細な説明】
【０００１】
【発明の属する技術分野】
本発明は、静止画像や動画像を撮像、記録、印刷、再生する画像処理装置及び画像処理装置制御方法に関する。
【０００２】
【従来の技術】
従来、固体メモリ素子を有するメモリカードを記録媒体として、静止画像や動画像を記録再生する電子カメラ等の画像処理装置は既に市販されており、カラー液晶パネル等の電子ファインダーを備える電子カメラも販売されている。
【０００３】
これらの電子カメラによれば、撮影前の画像を連続して表示して電子カメラの使用者が構図を決定することや、撮影した画像を再生表示して確認することが可能である。
【０００４】
特に、撮影した画像を撮影直後に再生する機能は利便性が高く、電子カメラの使用者にとって有益な機能となっている。
【０００５】
他方、デジタルカメラにプリンタを接続し、パーソナルコンピュータを使用せずにデジタルカメラから直接印刷できる機能を持つデジタルカメラも提供されている。
【０００６】
【発明が解決しようとする課題】
上記従来技術において、記憶される画像枚数が増すごとに画像記憶媒体の残り容量は小さくなる。デジタルカメラには着脱可能な記憶媒体が装着されており、記憶媒体がいっぱいになれば、記憶された画像をパーソナルコンピュータに移動させた後、記憶媒体内の画像を削除するか、もしくは予め用意しておいた別の記憶媒体に交換することで繰り返し画像の撮影を行う。ただし、銀塩カメラに比べ旅先等で容易に記憶媒体を手に入れにくいという現状もある。そのため、撮影したいときに記憶媒体の容量不足から撮影ができないといったことも起こる。
【０００７】
特開平１１−１７７９２３号公報では記憶媒体の容量が少なくなってきた場合に、画像の圧縮率を変えることで空き容量を増やし撮影を続けることを可能としているが、圧縮率をあげることで画像自体が劣化してしまうといった問題がある。
【０００８】
【課題を解決するための手段】
上記の目的を達成するための本発明による画像処理装置は、例えば以下の構成を備える。すなわち、撮像した静止画像及び或いは動画像を記録媒体に記録及び再生表示する画像処理装置であって、撮像手段と、記録手段と、制御手段と、表示手段とを有し、前記制御手段は、記録された静止画像の印刷設定を行う印刷設定手段と、印刷設定手段において指定された印刷領域情報を用いて印刷領域指定された領域を切り出して画像を再構築する手段と、切り出された元画像を削除する手段とを備える。
【０００９】
また、上記の目的を達成するための本発明による画像処理方法は、撮像した静止画像及び或いは動画像を記録媒体に記録及び再生表示する画像処理方法であって、撮像工程と、記録工程と、制御工程と、表示工程とを有し、前記制御工程は、記録された静止画像の印刷設定を行う印刷設定工程と、印刷設定工程において指定された印刷領域情報を用いて印刷領域指定された領域を切り出して画像を再構築する工程と、切り出された元画像を削除する工程とを備える。
【００１０】
また、本発明によれば、これら画像処理方法をコンピュータによって実現されるための制御プログラムを格納する記憶媒体が提供される。
【００１１】
上記手段により、記憶容量が小さくなった場合に、印刷設定で設定されたトリミング情報を用いて画像領域を変えた画像を再構築し、ユーザが必要と思った領域のみを残して効率的に空き容量を確保できる。
【００１２】
【発明の実施の形態】
以下、図面を参照して本発明の実施例を説明する。
【００１３】
図１は、本発明の実施例の構成を示す図である。
【００１４】
図１において、１００は画像処理装置である。
【００１５】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１６】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１７】
２０は画像処理回路であり、Ａ／Ｄ変換器１６からのデータ或いはメモリ制御回路２２からのデータに対して所定の画素補間処理や色変換処理を行う。
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１８】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２０】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２２】
画像表示部２８を用いて撮像した画像データを逐次表示すれば、電子ファインダー機能を実現することが可能である。
【００２３】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２４】
３０は撮影した静止画像や動画像を格納するためのメモリであり、所定枚数の静止画像や所定時間の動画像を格納するのに十分な記憶量を備えている。
【００２５】
これにより、複数枚の静止画像を連続して撮影する連射撮影やパノラマ撮影の場合にも、高速かつ大量の画像書き込みをメモリ３０に対して行うことが可能となる。
【００２６】
また、メモリ３０はシステム制御回路５０の作業領域としても使用することが可能である。
【００２７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２８】
４０は絞り機能を備えるシャッター１２を制御する露光制御手段であり、フラッシュ４８と連携することによりフラッシュ調光機能も有するものである。
【００２９】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３０】
４８はフラッシュであり、ＡＦ補助光の投光機能、フラッシュ調光機能も有する。
【００３１】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３２】
５０は画像処理装置１００全体を制御するシステム制御回路、５２はシステム制御回路５０の動作用の定数、変数、プログラム等を記憶するメモリである。
【００３３】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３４】
また、表示部５４は、その一部の機能が光学ファインダー１０４内に設置されている。
【００３５】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３６】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３７】
５６は電気的に消去・記録可能な不揮発性メモリであり、例えばＥＥＰＲＯＭ等が用いられる。
【００３８】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３９】
ここで、これらの操作手段の具体的な説明を行う。
【００４０】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４１】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４２】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４３】
６６は画像表示ＯＮ／ＯＦＦスイッチで、画像表示部２８のＯＮ／ＯＦＦを設定することが出来る。
【００４４】
この機能により、光学ファインダー１０４を用いて撮影を行う際に、ＴＦＴ  ＬＣＤ等から成る画像表示部への電流供給を遮断することにより、省電力を図ることが可能となる。
【００４５】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００４６】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００４７】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４８】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００４９】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５０】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５１】
インターフェース及びコネクタとしては、ＰＣＭＣＩＡカードやＣＦ（コンパクトフラッシュ（Ｒ））カード等の規格に準拠したものを用いて構成して構わない。
【００５２】
さらに、インタフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５３】
１０２は、画像処理装置１００のレンズ１０を含む撮像部を覆う事により、撮像部の汚れや破損を防止するバリアである保護手段である。
【００５４】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５５】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５６】
１１２は通信手段１１０により画像処理装置１００を他の機器と接続するコネクタ或いは無線通信の場合はアンテナである。
【００５７】
２００はメモリカードやハードディスク等の記録媒体である。
記録媒体２００は、半導体メモリや磁気ディスク等から構成される記録部２０２、画像処理装置１００とのインタフェース２０４、画像処理装置１００と接続を行うコネクタ２０６を備えている。
【００５８】
２１０はメモリカードやハードディスク等の記録媒体である。
記録媒体２１０は、半導体メモリや磁気ディスク等から構成される記録部２１２、画像処理装置１００とのインタフェース２１４、画像処理装置１００と接続を行うコネクタ２１６を備えている。
【００５９】
図２乃至図６を参照して、第１の実施例の動作を説明する。
【００６０】
図２は第１の実施形態による画像再構成処理を説明するフローチャートである。
【００６１】
ステップＳ２０１では、処理対象の画像を１番目にセットする。ステップＳ２０２では処理対象画像に印刷のトリミング設定が行われているかどうか調べる。トリミング設定が行われていればステップＳ２０３へ、行われていなければステップＳ２０９へ処理をうつす。ステップＳ２０３では現在の処理対象に設定されているトリミング情報を取得する。ステップＳ２０４では処理対象画像を記録媒体からデジタルカメラ内のメモリに読み込む。ステップＳ２０５ではトリミングされている枠情報からトリミング枠内の画像をひとつの画像として再構成する。ステップＳ２０６では記憶媒体に収められている処理対象画像を削除する。ステップＳ２０７では、再構成した画像データを記憶媒体に記憶する。ステップＳ２０８では全ての画像に対して上記処理が行われたかどうかチェックし、まだ終わっていなければステップＳ２０９へ、終わっていれば処理を終了する。ステップＳ２０９では処理対象画像を次へうつす。
【００６２】
図３は、図２に示した画像再構成処理を行うかどうか利用者が選択する画面である。画面３０１は記憶媒体の残り容量が無くなった際に自動で出てきてもよいし、デジタルカメラにあるボタンを押すことやメニューなどから選択することも可能である。ＹＥＳボタン３０２を選択し、実行することで画像再構成処理を実行する。ＮＯボタン３０３を選択し実行することで画面３０１を非表示にして、処理を元に戻す。
【００６３】
図２、図３における例はトリミング情報を用いた画像の再構成と元画像の削除処理を一括して行う場合の例である。
【００６４】
図４は図２に示した画像再構成処理を画像一枚ずつ確認しながら行う場合のフローチャートである。ステップＳ４０１では、処理対象の画像を１番目にセットする。ステップＳ４０２では処理対象画像に印刷のトリミング設定が行われているかどうか調べる。トリミング設定が行われていればステップＳ４０３へ、行われていなければステップＳ４１０へ処理をうつす。ステップＳ４０３では対象画像の処理を行うかどうか利用者に選択してもらう。再構成行うと選択された場合はステップＳ４０４へ、しない場合はステップＳ４１０へ処理をうつす。ステップＳ４０４では現在の処理対象に設定されているトリミング情報を取得する。ステップＳ４０５では処理対象画像を記録媒体からデジタルカメラ内のメモリに読み込む。ステップＳ４０６ではトリミングされている枠情報からトリミング枠内の画像をひとつの画像として再構成する。ステップＳ４０７では記憶媒体に収められている処理対象画像を削除する。ステップＳ４０８では、再構成した画像データを記憶媒体に記憶する。ステップＳ４０９では全ての画像に対して上記処理が行われたかどうかチェックし、まだ終わっていなければステップＳ４１０へ、終わっていれば処理を終了する。ステップＳ４１０では処理対象画像をひとつ送る。
【００６５】
図５は、図４に示した画像再構成処理を行うかどうか利用者が選択する画面である。画面５０１は記憶媒体の残り容量が無くなった際に自動で出てきてもよいし、デジタルカメラにあるボタンを押すことやメニューなどから選択することも可能である。トリミング枠５０２を画面上に表示すると共に、再構成を行うかどうか利用者に選択してもらう。ＹＥＳボタン５０３を選択し、実行することで画像再構成処理を実行する。ＮＯボタン５０４を選択し実行することで画面５０１を非表示にして、処理を次の画像にうつす。
【００６６】
図６は図４に示した画像再構成処理を画像一枚ずつ確認しながら行う場合に残り容量計算を行うフローチャートである。ステップＳ６０１では、処理対象の画像を１番目にセットする。ステップＳ６０２では処理対象画像に印刷のトリミング設定が行われているかどうか調べる。トリミング設定が行われていればステップＳ６０３へ、行われていなければステップＳ４１１へ処理をうつす。ステップＳ６０３では処理対象画像を記録媒体からデジタルカメラ内のメモリに読み込む。ステップＳ６０４では現在の処理対象に設定されているトリミング情報を取得する。ステップＳ６０５ではトリミングされている枠情報からトリミング枠内の画像をひとつの画像として再構成する。ステップＳ６０６で再構成された画像サイズと元画像のサイズから、元画像を消すことで空き容量がどれだけ確保され撮影枚数がどれくらい増えるかを計算する。ステップＳ６０７ではＳ６０６で得られた撮影枚数情報と共に対象画像の処理を行うかどうか利用者に選択してもらう。再構成行うと選択された場合はステップＳ６０８へ、しない場合はステップＳ４１１へ処理をうつす。
【００６７】
ステップＳ６０８では記憶媒体に収められている処理対象画像を削除する。ステップＳ６０９では、再構成した画像データを記憶媒体に記憶する。ステップＳ６１０では全ての画像に対して上記処理が行われたかどうかチェックし、まだ終わっていなければステップＳ６１１へ、終わっていれば処理を終了する。ステップＳ６１１では処理対象画像をひとつ送る。
【００６８】
図７は、図６に示した画像再構成処理を行うかどうか利用者が選択する画面である。画面７０１は記憶媒体の残り容量が無くなった際に自動で出てきてもよいし、デジタルカメラにあるボタンを押すことやメニューなどから選択することも可能である。画面上には処理を実行することで変化する撮影可能枚数８０５の表示を行う。トリミング枠７０２を画面上に表示すると共に、再構成を行うかどうか利用者に選択してもらう。ＹＥＳボタン７０３を選択し、実行することで画像再構成処理を実行する。ＮＯボタン７０４を選択し実行することで画面７０１を非表示にして、処理を次の画像にうつす。
【００６９】
以上、図１を用いて本発明の実施例の説明を行った。
【００７０】
図５、図７に示したトリミング枠の表示では、枠を表示する以外にも、枠の内側と外側で輝度を変えることや、切り取る部分に影をつけるなど、切り取る部分を認識させるための提示方法が考えられる。
【００７１】
また、図７では一枚ずつ確認する例であったが、一括して処理を行う場合においても撮影可能枚数表示を表示することも考えられる。
【００７２】
なお、実施例の説明に於いては、画像表示部２８をＯＦＦする場合に、画像表示部２８を構成する全ての要素をＯＦＦするとして説明したが、画像表示部２８の要素の一部をＯＦＦするだけでも勿論問題ない。この場合でも、撮影画像の確認と省電力を共に行う機能を備えることが出来る。例えば、画像表示部２８がＬＣＤとバックライトから構成されている場合、ＬＣＤがＯＮのままバックライトのみをＯＦＦしても、実施例での説明同様、撮影画像の確認と省電力を共に行う機能を備えることが出来る。
【００７３】
また、画像表示ＯＮ／ＯＦＦスイッチ６６とクイックレビューＯＮ／ＯＦＦスイッチ６８は、それぞれ独立した構成として説明したが、画像表示ＯＮ／ＯＦＦスイッチ６６とクイックレビューＯＮ／ＯＦＦスイッチ６８を一つの兼用スイッチとしてまとめ、画像表示ＯＮ／クイックレビューのみ画像表示ＯＮ／画像表示ＯＦＦの３ポジションを備える構成としても勿論問題ない。
【００７４】
そして、画像表示部２８によるクイックレビュー表示を終える指示を行った際に、最低時間クイックレビュー表示を継続するミニマムレビュー時間の経過を判断するとして説明したが、ミニマムレビュー時間を設定しない構成としても勿論問題無い。この場合、図３に於いて、Ｓ１３７でのミニマムレビュー時間の経過を判断する処理を除去したフローチャートとすれば良い。
【００７５】
また、スルー表示とクイックレビュー表示を行うそれぞれ専用の画像表示部を備える構成として、それらの表示部のＯＮ／ＯＦＦを画像表示ＯＮ／ＯＦＦスイッチ及びクイックレビューＯＮ／ＯＦＦスイッチの設定に応じて行う構成としても構わない。この場合も、実施例の説明と同様に、撮影画像の確認と省電力を共に行う機能を備えることが出来る。
【００７６】
そして、画像表示ＯＮ／ＯＦＦスイッチがＯＮの場合はクイックレビューＯＮ／ＯＦＦスイッチの設定に関わらず撮影直後のクイックレビュー表示を行うものとして説明を行ったが、画像表示ＯＮ／ＯＦＦスイッチがＯＮの場合にクイックレビューＯＮ／ＯＦＦスイッチの設定に応じてクイックレビュー表示を行うか否かを決定するようにしても構わない。
【００７７】
なお、記録媒体２００及び２１０は、ＰＣＭＣＩＡカードやコンパクトフラッシュ（Ｒ）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【００７８】
また、記録媒体２００及び２１０がメモリカードとハードディスク等が一体となった複合媒体であっても勿論問題無い。さらに、その複合媒体から一部が着脱可能な構成としても勿論問題無い。
【００７９】
そして、実施例の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【００８０】
また、画像処理装置１００に記録媒体２００或いは２１０が、単数或いは複数の任意の個数接続可能な構成であっても構わない。
【００８１】
そして、画像処理装置１００に記録媒体２００及び２１０が装着する構成として説明したが、記録媒体は単数或いは複数の何れの組み合わせの構成であっても、勿論問題無い。
【００８２】
【発明の効果】
以上の説明から容易に理解できるように、本発明によれば、撮像した静止画像及び或いは動画像を記録媒体に記録及び再生表示する画像処理装置であって、撮像手段と、記録手段と、制御手段と、表示手段とを有し、前記制御手段は、記録された静止画像の印刷設定を行う印刷設定手段と、印刷設定手段において指定された印刷領域情報を用いて印刷領域指定された領域を切り出して画像を再構築する手段と、切り出された元画像を削除する手段とを備える画像処理装置を提供することが可能である。
【００８３】
また、上記の目的を達成するための本発明による画像処理方法は、撮像した静止画像及び或いは動画像を記録媒体に記録及び再生表示する画像処理方法であって、撮像工程と、記録工程と、制御工程と、表示工程とを有し、前記制御工程は、記録された静止画像の印刷設定を行う印刷設定工程と、印刷設定工程において指定された印刷領域情報を用いて印刷領域指定された領域を切り出して画像を再構築する工程と、切り出された元画像を削除する工程とを備える画像処理装置を提供することが可能である。
【００８４】
また、本発明によれば、これら画像処理方法をコンピュータによって実現されるための制御プログラムを格納する記憶媒体が提供することが可能である。
【００８５】
上記手段により、記憶容量が小さくなった場合に、印刷設定で設定されたトリミング情報を用いて画像領域を変えた画像を再構築し、ユーザが必要と思った領域のみを残して効率的に空き容量を確保できる。
【図面の簡単な説明】
【図１】本発明の一実施例の構成ブロック図である。
【図２】本実施例のフローチャートである。
【図３】本実施例の確認画面の表示例を示す図である。
【図４】本実施例のフローチャートである。
【図５】本実施例の確認画面の表示例を示す図である。
【図６】本実施例のフローチャートである。
【図７】本実施例の確認画面の表示例を示す図である。
【図１】
2004336325.tif 000003
【図２】
2004336325.tif 000004
【図３】
2004336325.tif 000005
【図４】
2004336325.tif 000006
【図５】
2004336325.tif 000007
【図６】
2004336325.tif 000008
【図７】
2004336325.tif 000009